(57)【要約】      （修正有）【課題】特に異なる形状或いは異なるピン数の電源プラグに対応するプラグ変換アダプタを提供する。【解決手段】本体（１０）とプラグ部材（２０）とからなり、本体（１０）の下部の一側に凹溝（１１）が形成され、凹溝（１１）の両側にそれぞれガイドレール（１２）が設けられ、本体（１０）の下方に凹溝（１１）の内部へ伸びる導電ピン（１３）が設けられると共に、プラグ部材（２０）の下部に電源プラグ（２１）が設けられ、プラグ部材（２０）の内部に接触片が設けられ、更にプラグ部材（２０）の上面に凸ブロック（２３）が設けられ、凸ブロック（２３）の両側にそれぞれガイド溝（２４）が形成されると共に、一端に、導電ピン（１３）を貫通させて接触片と電気接続するための孔が形成される。【選択図】図２
0003113896.tif 000002
【実用新案登録請求の範囲】
【請求項１】
本体（１０）とプラグ部材（２０）とからなり、該本体（１０）の下部の一側に凹溝（１１）が形成され、該凹溝（１１）の両側にそれぞれガイドレール（１２）が設けられ、本体（１０）の下方に凹溝（１１）の内部へ伸びる導電ピン（１３）が設けられると共に、該プラグ部材（２０）の下部に電源プラグ（２１）が設けられ、プラグ部材（２０）の内部に該電源プラグ（２１）から上方へ伸びる接触片（２２）が設けられ、更に、前記プラグ部材（２０）の上面に凸ブロック（２３）が設けられ、該凸ブロック（２３）の両側にそれぞれ各ガイドレール（１２）と組合わされるガイド溝（２４）が形成されると共に、一端に、導電ピン（１３）を貫通させて接触片（２２）と電気接続するための孔（２５）が形成されることを特徴とするプラグ変換アダプタ。
【請求項２】
前記本体（１０）における、プラグ部材（２０）と連結する側に位置決め装置（３０）が設けられ、該位置決め装置（３０）は、本体（１０）上に形成される長溝（３１）を有し、該長溝（３１）の内部にはスイッチ（３２）が設けられ、該スイッチ（３２）における、本体（１０）の内部側に下方へ伸びる位置決めロッド（３３）が設けられ、該位置決めロッド（３３）の底部は、前記凸ブロック（２３）上に設けられる位置決め孔（３４）と掛合される構成であり、更に、長溝（３１）の裏面にプレート体（３５）が設けられると共に、該プレート体（３５）と位置決めロッド（３３）の上端との間にスプリング（３６）が設けられることを特徴とする請求項１に記載のプラグ変換アダプタ。
【考案の詳細な説明】
【技術分野】
【０００１】
本考案は、特に異なる形状或いは異なるピン数の電源プラグに対応するプラグ変換アダプタに関するものである。
【背景技術】
【０００２】
海外旅行に行く際には、国によって電源プラグの形状やピン数が異なるため、プラグ変換アダプタを携帯するのが一般的である。
【考案の開示】
【考案が解決しようとする課題】
【０００３】
しかしながら、国によってはプラグの形状やピン数が異なることから、海外旅行をする際には、その都度、目的地のプラグ形状に合ったプラグ変換アダプタを購入する必要があるので、実用性に優れなく、且つ経済的ではなかった。
【課題を解決するための手段】
【０００４】
本考案は、
本体（１０）とプラグ部材（２０）とからなり、該本体（１０）の下部の一側に凹溝（１１）が形成され、該凹溝（１１）の内部両側にそれぞれガイドレール（１２）が設けられ、本体（１０）における、凹溝（１１）の内側の端に該凹溝（１１）の方向へ伸びる導電ピン（１３）が設けられると共に、該プラグ部材（２０）の下部に電源プラグ（２１）が設けられ、プラグ部材（２０）の内部に該電源プラグ（２１）から上方へ伸びる接触片（２２）が設けられ、更に、前記プラグ部材（２０）の上面に凸ブロック（２３）が設けられ、該凸ブロック（２３）の両側にそれぞれ各ガイドレール（１２）と組合わされるガイド溝（２４）が形成されると共に、一端に、導電ピン（１３）を貫通させて接触片（２２）と電気接続させるための孔（２５）が形成されることを特徴とするプラグ変換アダプタ、を提供する。
【考案の効果】
【０００５】
本考案は上記の課題を解決するものであって、本体とプラグ部材とからなり、該本体の下部の一側に凹溝が形成され、該凹溝の両側にそれぞれガイドレールが設けられ、本体の下方に凹溝の内部へ伸びる導電ピンが設けられると共に、該プラグ部材の下部に電源プラグが設けられ、プラグ部材の内部に該電源プラグから上方へ伸びる接触片が設けられ、更に、前記プラグ部材の上面に凸ブロックが設けられ、該凸ブロックの両側にそれぞれ各ガイドレールと組合わされるガイド溝が形成されると共に、一端に、導電ピンを貫通させて接触片と電気接続するための孔が形成され、また、前記本体における、プラグ部材と連結する側に位置決め装置が設けられ、該位置決め装置は、本体上に形成される長溝を有し、該長溝の内部にはスイッチが設けられ、該スイッチにおける、本体の内部側に下方へ伸びる位置決めロッドが設けられ、該位置決めロッドの底部は、前記凸ブロック上に設けられる位置決め孔と掛合される構成であり、更に、長溝の裏面にプレート体が設けられると共に、該プレート体と位置決めロッドの上端との間にスプリングが設けられる構成であることから、該プラグ部材は本体に対して着脱可能であり、異なる形状や異なるピン数のプラグに対応できるので、従来のように、わざわざ複数のアダプタを購入する必要が無い。故に、本考案によれば、経済的で且つ使用利便性に優れたプラグ変換アダプタを提供することができる。
【考案を実施するための最良の形態】
【０００６】
以下、添付図面を参照して本考案の好適な実施の形態を詳細に説明する。
【実施例】
【０００７】
図１は本考案に係るプラグ変換アダプタの斜視図であり、図２は本考案に係るプラグ変換アダプタの部分分解斜視図であり、図３は本考案に係るプラグ変換アダプタのより詳細な分解斜視図であり、図４は本考案に係るプラグ変換アダプタの背面断面図であり、図５は本考案に係るプラグ変換アダプタの側面断面図であり、図６は本考案に係るプラグ変換アダプタにおけるスイッチを作動させた状態を示す側面断面図である。
【０００８】
図１乃至図４に示すように、本考案のプラグ変換アダプタは、本体（１０）とプラグ部材（２０）とからなり、該本体（１０）の下部の一側に凹溝（１１）が形成され、該凹溝（１１）の両側にそれぞれガイドレール（１２）が設けられ、本体（１０）の下方に凹溝（１１）の内部へ伸びる導電ピン（１３）が設けられると共に、該プラグ部材（２０）の下部に電源プラグ（２１）が設けられ、プラグ部材（２０）の内部に該電源プラグ（２１）から上方へ伸びる接触片（２２）が設けられる。
【０００９】
前記プラグ部材（２０）は、その上面に凸ブロック（２３）が設けられ、該凸ブロック（２３）の両側にそれぞれ各ガイドレール（１２）と組合わされるガイド溝（２４）が形成されると共に、一端に、導電ピン（１３）を貫通させて接触片（２２）と電気接続するための孔（２５）が形成される。
【００１０】
前記本体（１０）における、プラグ部材（２０）と連結する側に位置決め装置（３０）が設けられ、該位置決め装置（３０）は、本体（１０）上に形成される長溝（３１）を有し、該長溝（３１）の内部には上下方向に移動可能なスイッチ（３２）が設けられ、該スイッチ（３２）における、本体（１０）の内部側に下方へ伸びる位置決めロッド（３３）が設けられ、該位置決めロッド（３３）の底部は、前記凸ブロック（２３）上に設けられる位置決め孔（３４）と掛合される構成であり、更に、長溝（３１）の裏面に水平にプレート体（３５）が設けられると共に、該プレート体（３５）と位置決めロッド（３３）の上端との間に適当な弾性を提供するスプリング（３６）が設けられる。
【００１１】
また、本考案を使用する時は、図５及び図６に示すように、前記凸ブロック（２３）を凹溝（１１）に嵌め込み、孔（２５）に導電ピン（１３）を挿設して、該導電ピン（１３）を予め電源プラグ（２１）と電気接続されている接触片（２２）と導通状態にした後、該電源プラグ（２１）を電源ソケットに挿入し、通電させる。また、本考案では、本体（１０）とプラグ部材（２０）との間の緩みを防止するために、前記位置決め装置（３０）の下部に設けられる位置決めロッド（３３）をプラグ部材（２０）における位置決め孔（３４）に強固に掛止する構成を有する。故に、前記本体（１０）からのプラグ部材（２０）の脱落を確実に防止できる。
【００１２】
上記説明からも分かるように、本考案の特徴は、異なる形状或いは異なるピン数の電源プラグ（２１）を有するプラグ部材（２０）を自由に交換することができることであるので、海外旅行をする際にその都度、目的地のプラグ形状に合ったプラグ変換アダプタを購入する必要はない。故に、本考案は、経済的で且つ使用利便性に優れたプラグ変換アダプタを提供することができる。
【図面の簡単な説明】
【００１３】
【図１】本考案に係るプラグ変換アダプタの斜視図である。
【図２】本考案に係るプラグ変換アダプタの部分分解斜視図である。
【図３】本考案に係るプラグ変換アダプタのより詳細な分解斜視図である。
【図４】本考案に係るプラグ変換アダプタの背面断面図である。
【図５】本考案に係るプラグ変換アダプタの側面断面図である。
【図６】本考案に係るプラグ変換アダプタにおけるスイッチを作動させた状態を示す側面断面図である。
【符号の説明】
【００１４】
１０        本体
１１        凹溝
１２        ガイドレール
１３        導電ピン
２０        プラグ部材
２１        電源プラグ
２２        接触片
２３        凸ブロック
２４        ガイド溝
２５        孔
３０        位置決め装置
３１        長溝
３２        スイッチ
３３        位置決めロッド
３４        位置決め孔
３５        プレート体
３６        スプリング
【図１】
0003113896.tif 000003
【図２】
0003113896.tif 000004
【図３】
0003113896.tif 000005
【図４】
0003113896.tif 000006
【図５】
0003113896.tif 000007
【図６】
0003113896.tif 000008